(57)【要約】      （修正有）【課題】着せ替え人形のように楽しむことを可能とする携帯端末ケースを提供する。【解決手段】携帯端末ケースは、側面視で略Ｕ字形状を有し、携帯端末を収納する収納部１２と、収納部１２の上部の開口部を跨いで被さるように装着可能な被せ部１４と、収納部１２の第１の面側に設けられる第１錠前部１６と、被せ部１４の第１の面側に設けられ、第１錠前部１６と嵌合して施錠するための第２錠前部１８と、収納部１２の第１の面と反対側の第２の面、及び、被せ部１４の第１の面と反対側の第２の面に設けられ、収納部１２と被せ部１４とを着脱可能にする第１ホック部２０と第２ホック部２２からなる着脱機構部と、を備える。【選択図】図２
2020096670.tif 000002
【特許請求の範囲】
【請求項１】
側面視で略Ｕ字形状を有し、携帯端末を収納する収納部と、
前記収納部の上部の開口部を跨いで被さるように装着可能な被せ部と、
前記収納部の第１の面側に設けられる第１錠前部と、
前記被せ部の第１の面側に設けられ、前記第１錠前部と嵌合して施錠するための第２錠前部と、
前記収納部の前記第１の面と反対側の第２の面、及び、前記被せ部の前記第１の面と反対側の第２の面に設けられ、前記収納部と前記被せ部とを着脱可能にする着脱機構部と、
を備えることを特徴とする携帯端末ケース。
【請求項２】
請求項１に記載の携帯端末ケースにおいて、
前記着脱機構部は、
前記収納部の前記第２の面側に設けられる複数の第１ホック部と、
前記被せ部の前記第２の面側に設けられ、前記複数の第１ホック部と嵌合する複数の第２ホック部と、
をさらに備えることを特徴とする携帯端末ケース。
【請求項３】
請求項１に記載の携帯端末ケースにおいて、
前記被せ部の上方に向けて延びる紐部をさらに備えることを特徴とする携帯端末ケース。
【発明の詳細な説明】
【技術分野】
【０００１】
本発明は、携帯端末ケースに関する。
【背景技術】
【０００２】
近年、スマートフォンなどの携帯端末の普及に伴い、様々な携帯端末ケースが開発されている。本発明に関連する技術として、例えば、特許文献１には、ケース本体は、表布地、内部クッション材、マイクロファイバー生地の裏布地の三層構造とし、高周波ウェルダー機で三層構造のケース本体を溶着型裁断したあと、ケース本体を２枚用意し、外周を縫製処理したことを特徴とするモバイルケースが開示されている。
【先行技術文献】
【特許文献】
【０００３】
【特許文献１】特開２０１４−９４２５２号公報
【発明の概要】
【発明が解決しようとする課題】
【０００４】
従来、スマートフォンなどの携帯端末のタイプとして、大きく分類すると手帳型とケース型とバンパー型の３種類が存在するが、基本的にはスマートフォンを購入した際のものをそのまま長期間使うことが多いため、ユーザは飽きが来てしまう可能性がある。
【０００５】
本発明の目的は、着せ替え人形のように楽しむことを可能とする携帯端末ケースを提供することである。
【課題を解決するための手段】
【０００６】
本発明に係る携帯端末ケースは、側面視で略Ｕ字形状を有し、携帯端末を収納する収納部と、前記収納部の上部の開口部を跨いで被さるように装着可能な被せ部と、前記収納部の第１の面側に設けられる第１錠前部と、前記被せ部の第１の面側に設けられ、前記第１錠前部と嵌合して施錠するための第２錠前部と、前記収納部の前記第１の面と反対側の第２の面、及び、前記被せ部の前記第１の面と反対側の第２の面に設けられ、前記収納部と前記被せ部とを着脱可能にする着脱機構部と、を備えることを特徴とする。
【０００７】
また、本発明に係る携帯端末ケースにおいて、前記着脱機構部は、前記収納部の前記第２の面側に設けられる複数の第１ホック部と、前記被せ部の前記第２の面側に設けられ、前記複数の第１ホック部と嵌合する複数の第２ホック部と、をさらに備えることが好ましい。
【０００８】
また、本発明に係る携帯端末ケースにおいて、前記被せ部の上方に向けて延びる紐部をさらに備えることが好ましい。
【発明の効果】
【０００９】
本発明によれば、収納部と被せ部とを分離することができ、どちらか一方を新しいものに変更するなど、収納部と被せ部との組み合わせを色んな組み合わせにすることができる。これにより、ユーザは着せ替え人形のように楽しむことが出来るため、長期間飽きることなく携帯端末ケースを使用することが出来る。
【図面の簡単な説明】
【００１０】
【図１】本発明に係る実施形態の携帯端末ケースを示す図である。
【図２】本発明に係る実施形態の携帯端末ケースを示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、携帯端末ケース１０を示す図であり、図１（ａ）は、携帯端末ケース１０の正面図であり、図１（ｂ）は、携帯端末ケース１０の背面図である。
【００１３】
図２は、携帯端末ケース１０を示す図であり、図２（ａ）は、スマートフォン８を収納した状態の携帯端末ケース１０の右側面図であり、図２（ｂ）は、携帯端末ケース１０において、収納部１２と被せ部１４とスマートフォン８との関係を分かりやすくするために、夫々を分離した状態を示している。
【００１４】
携帯端末ケース１０は、収納部１２と、被せ部１４と、第１錠前部１６と、第２錠前部１８と、着脱機構部２１とを備えている。携帯端末ケース１０は、スマートフォン８などの携帯端末を収納する機能を有している。
【００１５】
収納部１２は、側面視で略Ｕ字形状を有し、携帯端末を収納する機能を有している。収納部１２は、革や合皮などの柔軟性を有する板状部材を中央部で略２つ折りすることで略Ｕ字状を形成している。
【００１６】
収納部１２の大きさは、スマートフォン８などの大きさに合せて適宜変更することが可能であり、図２に示されるように、収納部１２によりスマートフォン８がすっぽりと収まるような大きさに設定することが好適である。
【００１７】
収納部１２を略２つ折りにした際の図１（ａ）の正面側の第１の面１２ａには、第１錠前部１６が設けられている。第１錠前部１６は、被せ部１４に設けられる第２錠前部１８と嵌合することで被せ部１４を閉じることが出来る。
【００１８】
収納部１２は、美的外観を考慮して、形状、模様及び色彩を施していることが好ましく、例えば、白色で構成されていることが好適である。
【００１９】
収納部１２を略２つ折りにした際の図１（ｂ）の背面側の第２の面１２ｂには、被せ部１４に設けられる第２ホック部２２と嵌合可能な第１ホック部２０が取り付けられている。ここでは、収納部１２には３つの第１ホック部２０が設けられるものとして説明したが、もちろん、数の増減は適宜変更可能である。
【００２０】
被せ部１４は、収納部１２の上部の開口部１２ｃを跨いで被さるように装着可能である。被せ部１４は、側面視で逆向きの略Ｕ字形状を有している。被せ部１４は、革や合皮などの柔軟性を有する板状部材を中央部で略２つ折りすることで略Ｕ字状を形成している。
【００２１】
被せ部１４を略２つ折りにして収納部１２に被せた際に、第１錠前部１６と対向する第１の面１４ａには第１錠前部１６と嵌合する第２錠前部１８を有している。
【００２２】
被せ部１４を略２つ折りにした際の図１（ｂ）の背面側の第２の面１４ｂには、収納部１２に設けられる第１ホック部２０と嵌合可能な第２ホック部２２が取り付けられている。ここでは、被せ部１４には３つの第２ホック部２２が設けられるものとして説明したが、もちろん、数の増減は適宜変更可能である。
【００２３】
被せ部１４は、美的外観を考慮して、形状、模様及び色彩を施していることが好ましく、例えば、収納部１２と同様の白色で構成されているものとして説明するが、もちろん、異なる形状、模様及び色彩を施して意匠を楽しめるようにしてもよい。
【００２４】
ここで、収納部１２の第１の面１２ａと反対側の第２の面１２ｂに設けられる第１ホック部２０と、被せ部１４の第１の面１４ａと反対側の第２の面１４ｂに設けられる第２ホック部２２とを併せて着脱機構部２１と言い、第１ホック部２０と第２ホック部２２とを嵌合させることで収納部１２と被せ部１４とを着脱可能にする。
【００２５】
紐部２４は、略２つ折りされた被せ部１４の天井部の両端から上部に向けてチェーン状に伸びる紐部材である。ここでは、紐部材は、純金やメッキなどで構成される複数のリング部材をチェーン状に繋いで構成するものとして説明するが、チェーン状ではなく、１本の紐部材で構成してもよい。
【００２６】
紐部２４の長さは、一般的な大人が肩掛けで持つタイプのバックの紐の長さと同程度の長さに設定することが好ましいが、もちろん、適宜変更することが出来る。
【００２７】
続いて、上記構成の携帯端末ケース１０の作用について説明する。分離された収納部１２に被せ部１４を装着する。具体的には、収納部１２を略２つ折りにして、図２に示されるように、略Ｕ字状にする。そして、被せ部１４を略２つ折りにして、図２に示されるように、逆の略Ｕ字状にする。
【００２８】
収納部１２の３つの第１ホック部２０と、被せ部１４の３つの第２ホック部２２とを位置決めしつつ嵌合させる。これにより、被せ部１４を鞄（バック）の蓋部のように開閉して使用することが出来る。
【００２９】
ユーザは、被せ部１４の第２錠前部１８を開錠した状態で、被せ部１４を略Ｉ字状に起立させて収納部１２の開口部１２ｃを露出させる。そして、この開口部１２ｃからスマートフォン８を収納部１２に収納した後、被せ部１４の第２錠前部１８を収納部１２の第１錠前部１６に嵌合させて施錠する。
【００３０】
この状態でユーザが紐部２４を肩にかけて使用することで、肩掛けタイプのバックのように使用することができるという利点がある。
【００３１】
また、スマートフォン８などのメールや電話の着信があって使用する際には、第１錠前部１６と第２錠前部１８との施錠を解除して、被せ部１４を略Ｉ字状に起立させる被せ部１４を開くことでスマートフォン８を取り出すことができる。
【００３２】
なお、ここでは、収納部１２は、図２に示されるように、略Ｕ字形状を有しており、スマートフォン８の正面及び背面を覆っており、左右の側面は露出したものとして説明するが、左右の側面の一部または全部を覆うようにしてもよい。
【００３３】
さらに、携帯端末ケース１０によれば、第１錠前部１６と第２錠前部１８とを開錠した状態で、第１ホック部２０から第２ホック部２２を外して収納部１２と被せ部１４とを分離状態とすることが出来る。
【００３４】
そして、収納部１２または被せ部１４のいずれか一方を異なる形状、模様及び色彩を有する意匠が施されたものに変えた状態で再び両者をくっつけることで、美的外観の印象が全く異なる携帯端末ケース１０にすることが出来る。紐部２４もチェーン状であってものを１本の紐部材で形成されているものなどに変更することで大きく印象が異なる。
【００３５】
このように、携帯端末ケース１０によれば、収納部１２に被せ部１４に装着して、スマートフォン８などの携帯端末を収納する肩掛けバックのように使用することができ、さらに、収納部１２と被せ部１４とを分離して、異なる意匠を有する収納部１２又は被せ部１４と組み合わせて使用する。
【００３６】
これにより、ユーザは仕事の日やオフの日など状況や心理状況などに合せて自由自在に携帯端末ケース１０の意匠を楽しむことができるため、長期間飽きずに使用することができるという顕著な効果を奏する。
【００３７】
なお、上記では、着脱機構部２１は、第１ホック部２０と第２ホック部２０との凹凸部材を用いて嵌合させるものとして説明したが、もちろん、その他の着脱機構であってもよく、例えば、一対のチャック部を収納部１２と被せ部１４とに夫々配置することで結合してもよく、マジックテープ（登録商標）や磁石などを用いて結合させてもよい。
【符号の説明】
【００３８】
８  スマートフォン、１０  携帯端末ケース、１２  収納部、１４  被せ部、１６  第１錠前部、１８  第２錠前部、２０  第１ホック部、２１  着脱機構部、２２  第２ホック部、２４  紐部。
【図１】
2020096670.tif 000003
【図２】
2020096670.tif 000004